(57)【要約】【課題】釣合重りの位置を起立位置と傾倒位置との間で変位させる場合に、釣合重りを釣合重り用ガイドレールに沿って移動させることができるエレベータ釣合重り搬出入装置を得る。【解決手段】釣合重り１０３の第１端部１０９に取り付けられる回動ガイドシュー支持部４１と、回動ガイドシュー支持部４１から幅方向外側に延びる回動軸４３と、回動軸４３を中心に回動するように回動軸４３に設けられ、釣合重り用ガイドレール１０５に案内される回動ガイドシュー４４とを備え、釣合重り１０３を支持するチェーンブロック２２の駆動によって釣合重り１０３が昇降し、釣合重り１０３の第２端部１１２が足場１２に沿って移動する場合に、回動ガイドシュー４４が回動軸４３を中心に回動しながら、釣合重り用ガイドレール１０５に案内される。【選択図】図７
2016132516.tif 000002
【特許請求の範囲】
【請求項１】
釣合重りを昇降路に対して搬出入する際に用いられるエレベータ釣合重り搬出入装置であって、
前記釣合重りが釣合重り用ガイドレールに案内されて前記昇降路を昇降する場合における前記釣合重りの上端部である第１端部に取り付けられる回動ガイドシュー支持部と、
前記回動ガイドシュー支持部から幅方向外側に延びる回動軸と、
前記回動軸を中心に回動するように前記回動軸に設けられ、前記釣合重り用ガイドレールに案内される回動ガイドシューと
を備え、
前記釣合重りを支持する揚重装置の駆動によって前記釣合重りが昇降し、前記釣合重りが前記釣合重り用ガイドレールに案内されて前記昇降路を昇降する場合における前記釣合重りの下端部である第２端部が、前記乗場に隣り合うように前記昇降路に仮設された搬出入用支持部材に沿って移動する場合に、前記回動ガイドシューが前記回動軸を中心に回動しながら、前記釣合重り用ガイドレールに案内されることを特徴とするエレベータ釣合重り搬出入装置。
【請求項２】
前記釣合重りは、釣合重り枠と、前記釣合重り枠に設けられ、前記釣合重り用ガイドレールに案内される既設ガイドシューとを有しており、
前記釣合重り枠には、前記既設ガイドシューを前記釣合重り枠に固定するためのガイドシュー取付ボルトが挿入される既設ガイドシュー取付ボルト孔が形成されており、
前記回動ガイドシュー支持部には、前記既設ガイドシュー取付ボルト孔と重なる回動ガイドシュー取付ボルト孔が形成されており、
前記回動ガイドシュー支持部は、前記釣合重り枠から前記既設ガイドシューが取り外され、前記ガイドシュー取付ボルトが前記回動ガイドシュー取付ボルト孔および前記既設ガイドシュー取付ボルト孔に挿入されることによって、前記釣合重り枠に取り付けられることを特徴とする請求項１に記載のエレベータ釣合重り搬出入装置。
【請求項３】
前記第１端部が前記搬出入用支持部材に沿って移動する場合に前記搬出入用支持部材を転動するローラと、前記ローラを回転可能に支持し、前記第１端部に取り付けられる第１ローラ支持部とを有する第１端部用ローラ装置をさらに備えたことを特徴とする請求項１または請求項２に記載のエレベータ釣合重り搬出入装置。
【請求項４】
前記第１ローラ支持部は、前記回動ガイドシュー支持部とともに前記釣合重りに着脱されることを特徴とする請求項３に記載のエレベータ釣合重り搬出入装置。
【請求項５】
前記揚重装置の駆動によって前記釣合重りが昇降する場合であって前記第２端部が前記搬出入用支持部材に沿って移動する場合に前記搬出入用支持部材を転動する変位用ローラと、前記第２端部が前記第１端部とともに前記搬出入用支持部材に沿って移動する場合に前記搬出入用支持部材を転動する移動用ローラと、前記変位用ローラおよび前記移動用ローラを回転可能に支持し、第２端部に取り付けられる第２ローラ支持部とを有する第２端部用ローラ装置をさらに備えたことを特徴とする請求項１から請求項４までの何れか一項に記載のエレベータ釣合重り搬出入装置。
【発明の詳細な説明】
【技術分野】
【０００１】
この発明は、釣合重りを昇降路に対して搬出入する際に用いられるエレベータ釣合重り搬出入装置に関する。
【背景技術】
【０００２】
従来、昇降路に支持された揚重装置を備え、揚重装置を用いて既設の釣合重りを昇降路のピットまで吊り降ろすエレベータ釣合重り搬出入装置が知られている。ピットに吊り降ろされた釣合重りは、ピット内で解体され、解体された釣合重りはピットから乗場に搬出される（例えば、特許文献１参照）。
【先行技術文献】
【特許文献】
【０００３】
【特許文献１】特開平１１−３４９２５５号公報
【発明の概要】
【発明が解決しようとする課題】
【０００４】
釣合重りをピットまで吊り降ろすことなく、釣合重りを昇降路から乗場に搬出する方法として、昇降路の奥行方向について乗場に隣り合うように足場を昇降路に仮設し、釣合重りを足場まで吊り降ろした後、足場において、釣合重りの位置を高さ方向に延びる起立位置から乗場出入口の高さ方向の寸法よりも釣合重りの高さ方向の寸法が小さくなるように釣合重りの長手方向が高さ方向に対して交差する傾倒位置に変位させて、釣合重りを足場から乗場に搬出する方法が考えられる。
【０００５】
しかしながら、足場において釣合重りの位置を起立位置から傾倒位置に変位させる場合に、釣合重りの釣合重り枠からガイドシューを取り外すので、釣合重りを釣合重り用ガイドレールに沿って移動させることができないという問題点があった。
【０００６】
この発明は、釣合重りの位置を起立位置と傾倒位置との間で変位させる場合に、釣合重りを釣合重り用ガイドレールに沿って移動させることができるエレベータ釣合重り搬出入装置を提供するものである。
【課題を解決するための手段】
【０００７】
この発明に係るエレベータ釣合重り搬出入装置は、釣合重りを昇降路に対して搬出入する際に用いられるエレベータ釣合重り搬出入装置であって、釣合重りが釣合重り用ガイドレールに案内されて昇降路を昇降する場合における釣合重りの上端部である第１端部に取り付けられる回動ガイドシュー支持部と、回動ガイドシュー支持部から幅方向外側に延びる回動軸と、回動軸を中心に回動するように回動軸に設けられ、釣合重り用ガイドレールに案内される回動ガイドシューとを備え、釣合重りを支持する揚重装置の駆動によって釣合重りが昇降し、釣合重りが釣合重り用ガイドレールに案内されて昇降路を昇降する場合における釣合重りの下端部である第２端部が、乗場に隣り合うように昇降路に仮設された搬出入用支持部材に沿って移動する場合に、回動ガイドシューが回動軸を中心に回動しながら、釣合重り用ガイドレールに案内される。
【発明の効果】
【０００８】
この発明に係るエレベータ釣合重り搬出入装置によれば、釣合重りの第１端部に取り付けられる回動ガイドシュー支持部と、回動ガイドシュー支持部から幅方向外側に延びる回動軸と、回動軸を中心に回動するように回動軸に設けられ、釣合重り用ガイドレールに案内される回動ガイドシューとを備え、釣合重りを支持する揚重装置の駆動によって釣合重りが昇降し、釣合重りの第２端部が搬出入用支持部材に沿って移動する場合に、回動ガイドシューが回動軸を中心に回動しながら、釣合重り用ガイドレールに案内されるので、釣合重りの位置を起立位置と傾倒位置との間で変位させる場合に、釣合重りを釣合重り用ガイドレールに沿って移動させることができる。
【図面の簡単な説明】
【０００９】
【図１】この発明の実施の形態１に係るエレベータ釣合重り搬出入装置を示す正面図である。
【図２】図１のエレベータ釣合重り搬出入装置を示す側面図である。
【図３】図１のガイド装置を示す平面図である。
【図４】図１のガイド装置を示す拡大図である。
【図５】図４のガイド装置を示す側面図である。
【図６】図１の台車ユニットを用いて釣合重りを昇降路から乗場に搬出する状態のエレベータ釣合重り搬出入装置を示す側面図である。
【図７】図２のエレベータ釣合重り搬出入装置を示す拡大図である。
【図８】図７の釣合重りの長手方向を高さ方向に対して傾斜させた状態のエレベータ釣合重り搬出入装置を示す正面図である。
【図９】図８の釣合重りの長手方向を高さ方向に対してさらに傾斜させた状態のエレベータ釣合重り搬出入装置を示す正面図である。
【図１０】図７の釣合重りが傾倒位置にある状態のエレベータ釣合重り搬出入装置を示す正面図である。
【図１１】図１０のガイド装置を釣合重りの第１端部から取り外した状態を示すエレベータ釣合重り搬出入装置を示す正面図である。
【図１２】この発明の実施の形態２に係るエレベータ釣合重り搬出入装置を示す側面図である。
【図１３】図１２の第１端部用ローラ装置を示す平面図である。
【図１４】図１２の第１端部用ローラ装置を示す正面図である。
【図１５】図１２の第１端部用ローラ装置を示す拡大図である。
【図１６】図１２の第２端部用ローラ装置を示す拡大図である。
【図１７】図１２の第２端部用ローラ装置を示す底面図である。
【図１８】図１２の第２端部用ローラ装置を示す背面図である。
【図１９】図１２の釣合重りの長手方向を高さ方向に対して傾斜させた状態のエレベータ釣合重り搬出入装置を示す正面図である。
【図２０】図１９の釣合重りの長手方向を高さ方向に対してさらに傾斜させた状態のエレベータ釣合重り搬出入装置を示す正面図である。
【図２１】図１２の釣合重りの位置が傾倒位置である状態のエレベータ釣合重り搬出入装置を示す正面図である。
【図２２】図２１の回動ガイドシューを回動軸から取り外した状態を示すエレベータ釣合重り搬出入装置を示す正面図である。
【発明を実施するための形態】
【００１０】
実施の形態１．
図１はこの発明の実施の形態１に係るエレベータ釣合重り搬出入装置を示す正面図、図２は図１のエレベータ釣合重り搬出入装置を示す側面図である。図において、エレベータ釣合重り搬出入装置は、昇降路１００のピット１０１内に設置される足場装置１と、昇降路１００に対して固定される釣合重り用ガイドレール装置１０２に支持され、釣合重り１０３が吊り下げられる吊下装置２と、釣合重り１０３が載せられる台車ユニット３と、釣合重り１０３に設けられるガイド装置４とを備えている。
【００１１】
足場装置１は、高さ方向に伸縮可能な複数のサポート１１と、サポート１１に支持され、奥行方向について乗場１０４に隣り合う足場（搬出入用支持部材）１２と、隣り合うサポート１１に渡って掛けられた補強部材１３とを有している。補強部材１３は、サポート１１が倒れることを抑制している。この例では、高さ方向とは、昇降路１００についての高さ方向であり、図１に示す矢印Ａの方向である。また、奥行方向とは、昇降路１００についての奥行方向であり、図２に示す矢印Ｂの方向である。
【００１２】
釣合重り用ガイドレール装置１０２は、高さ方向に延びる一対の釣合重り用ガイドレール１０５と、それぞれの釣合重り用ガイドレール１０５に設けられ、昇降路１００に対して固定される複数のレールブラケット１０６とを有している。それぞれのレールブラケット１０６は、高さ方向に離れて配置されている。
【００１３】
釣合重り１０３は、高さ方向に延びた釣合重り枠１０７と、釣合重り枠１０７に支持される複数の重り板１０８と、釣合重り枠１０７に固定される既設ガイドシュー（図示せず）とを有している。釣合重り１０３が釣合重り用ガイドレール１０５に案内されて昇降路１００を昇降する場合における釣合重り枠１０７の上端部である第１端部１０９には、既設ガイドシューを釣合重り枠１０７に固定するためのガイドシュー取付ボルト１１０（図４）が挿入される既設ガイドシュー取付ボルト孔１１１（図４）が形成されている。また、釣合重り１０３が釣合重り用ガイドレール１０５に案内されて昇降路１００を昇降する場合における釣合重り枠１０７の下端部である第２端部１１２にも、既設ガイドシューを釣合重り枠１０７に固定するためのガイドシュー取付ボルト（図示せず）が挿入される既設ガイドシュー取付ボルト孔（図示せず）が形成されている。
【００１４】
吊下装置２は、一対の釣合重り用ガイドレール１０５の間に渡って掛けられるワイヤ２１と、ワイヤ２１に支持されるチェーンブロック（揚重装置）２２と、チェーンブロック２２と釣合重り枠１０７とを繋ぐワイヤ２３とを有している。図２では、ワイヤ２１、チェーンブロック２２およびワイヤ２３を省略している。
【００１５】
チェーンブロック２２は、ワイヤ２１に掛けられるフック部２２１と、ワイヤ２３が掛けられるフック部２２２とを有している。フック部２２１がワイヤ２１に掛けられることによって、チェーンブロック２２がワイヤ２１に支持される。ワイヤ２３がフック部２２２に掛けられることによって、ワイヤ２３がチェーンブロック２２に支持される。フック部２２２は、チェーンブロック２２が駆動することによって、上下方向に移動する。フック部２２２が上下方向に移動することによって、ワイヤ２３が上下方向に移動する。
【００１６】
図３は図１のガイド装置４を示す平面図、図４は図１のガイド装置４を示す拡大図、図５は図４のガイド装置４を示す側面図である。ガイド装置４は、釣合重り１０３の第１端部１０９に取り付けられる一対の回動ガイドシュー支持部４１と、それぞれの回動ガイドシュー支持部４１に設けられた一対の軸受４２と、それぞれの軸受４２に設けられ、回動ガイドシュー支持部４１から幅方向外側に延びる一対の回動軸４３と、回動軸４３を中心に回動するようにそれぞれの回動軸４３に設けられ、釣合重り用ガイドレール１０５に案内される回動ガイドシュー４４とを備えている。
【００１７】
回動ガイドシュー支持部４１には、既設ガイドシュー取付ボルト孔１１１に重なる回動ガイドシュー取付ボルト孔４１１が形成されている。回動ガイドシュー支持部４１は、ガイドシュー取付ボルト１１０が回動ガイドシュー取付ボルト孔４１１および既設ガイドシュー取付ボルト孔１１１に挿入されることによって、釣合重り枠１０７に取り付けられる。
【００１８】
回動ガイドシュー４４は、チェーンブロック２２の駆動によって釣合重り１０３が昇降し、釣合重り１０３の第２端部１１２が足場１２に沿って奥行方向に移動する場合に、回動軸４３を中心に回動しながら、釣合重り用ガイドレール１０５に案内される。
【００１９】
図６は図１の台車ユニット３を用いて釣合重り１０３を昇降路１００から乗場１０４に搬出する状態のエレベータ釣合重り搬出入装置を示す側面図である。台車ユニット３は、釣合重り１０３の第２端部１１２を支持する第１台車３１と、釣合重り１０３の第１端部１０９を支持する第２台車３２とを有している。
【００２０】
次に、エレベータ釣合重り搬出入装置を用いたエレベータ釣合重り搬出入方法について説明する。まず、図１に示すように、釣合重り１０３が最下階の乗場１０４よりも所定距離だけ高い位置に配置されるように、かご（図示せず）を昇降路１００の上部に配置させ、固定装置（図示せず）を用いてかごをかご用ガイドレール装置（図示せず）に対して固定する。かご用ガイドレール装置は、高さ方向に延びる一対のかご用ガイドレールと、それぞれのかご用ガイドレールに設けられ、昇降路１００に固定される複数のレールブラケットを有している。
【００２１】
その後、昇降路１００のピット１０１内に、奥行方向について乗場１０４に隣り合うように足場１２を設置する（搬出入用支持部材設置工程）。
【００２２】
その後、釣合重り用ガイドレール１０５にチェーンブロック２２を支持させ、このチェーンブロック２２に釣合重り１０３を支持させ（釣合重り支持工程）、チェーンブロック２２を駆動させて釣合重り１０３を少しだけ持ち上げる。このとき、釣合重り枠１０７から重り板１０８を取り外してもよい。
【００２３】
その後、かごと釣合重り１０３とに接続されたロープ（図示せず）をかご及び釣合重り１０３から取り外し、釣合重り１０３における第１端部１０９および第２端部１１２に取り付けられている既設ガイドシューを取り外し、釣合重り１０３の第１端部１０９にガイド装置４を取り付ける（ガイド装置取付工程）。
【００２４】
図７は図２のエレベータ釣合重り搬出入装置を示す拡大図、図８は図７の釣合重り１０３の長手方向を高さ方向に対して傾斜させた状態のエレベータ釣合重り搬出入装置を示す正面図、図９は図８の釣合重り１０３の長手方向を高さ方向に対してさらに傾斜させた状態のエレベータ釣合重り搬出入装置を示す正面図、図１０は図７の釣合重り１０３が傾倒位置にある状態のエレベータ釣合重り搬出入装置を示す正面図である。その後、第１台車３１を足場１２に載せ、チェーンブロック２２を駆動させて、釣合重り１０３の第２端部１１２が第１台車３１に載せられるように釣合重り１０３を降下させる。
【００２５】
その後、第１台車３１を乗場１０４に向かって移動させながら、チェーンブロック２２を駆動させて、釣合重り１０３を降下させる。これにより、釣合重り１０３の位置は、釣合重り１０３が高さ方向に延びる起立位置から、乗場出入口の高さ方向の寸法よりも釣合重り１０３の高さ方向の寸法が小さくなるように釣合重り１０３の長手方向が高さ方向に対して交差する方向に延びる傾倒位置に変位する。この例では、釣合重り１０３の傾倒位置とは、釣合重り１０３が水平方向に延びる位置であり、釣合重り１０３の高さ方向の寸法が、乗場出入口の高さ方向の寸法よりも小さくなる場合の釣合重り１０３の位置である。
【００２６】
釣合重り１０３の位置が起立位置から傾倒位置に変位する場合に、回動ガイドシュー４４は、回動軸４３を中心に回動しながら、釣合重り用ガイドレール１０５に案内される。
【００２７】
釣合重り１０３の位置が傾倒位置になった後、第２台車３２を足場１２に載せて、釣合重り１０３の第１端部１０９を第２台車３２に載せる。
【００２８】
図１１は図１０のガイド装置４を釣合重り１０３の第１端部１０９から取り外した状態を示すエレベータ釣合重り搬出入装置を示す正面図である。釣合重り１０３の第１端部１０９を第２台車３２に載せた後、ガイド装置４を釣合重り１０３の第１端部１０９から取り外す。その後、第１台車３１および第２台車３２を足場１２から乗場１０４に移動させることによって、釣合重り１０３を昇降路１００から乗場１０４に搬出する（釣合重り搬出工程）。以上により、昇降路１００から乗場１０４への既設の釣合重り１０３の搬出が終了する。乗場１０４から昇降路１００への新規の釣合重り１０３の搬入は、既設の釣合重り１０３の搬出の逆の手順となる。
【００２９】
以上説明したように、この発明の実施の形態１に係るエレベータ釣合重り搬出入装置によれば、釣合重り１０３の第１端部１０９に取り付けられる回動ガイドシュー支持部４１と、回動ガイドシュー支持部４１から幅方向外側に延びる回動軸４３と、回動軸４３を中心に回動するように回動軸４３に設けられ、釣合重り用ガイドレール１０５に案内される回動ガイドシュー４４とを備え、釣合重り１０３を支持するチェーンブロック２２の駆動によって釣合重り１０３が昇降し、釣合重り１０３の第２端部１１２が足場１２に沿って移動する場合に、回動ガイドシュー４４が回動軸４３を中心に回動しながら釣合重り用ガイドレール１０５に案内されるので、釣合重り１０３の位置を起立位置と傾倒位置との間で変位させる場合に、釣合重り１０３を釣合重り用ガイドレール１０５に沿って移動させることができる。その結果、釣合重り１０３の位置を起立位置と傾倒位置との間で変位させる場合に、釣合重り１０３の第１端部１０９が奥行方向に移動することを防止することができる。
【００３０】
また、回動ガイドシュー支持部４１には、既設ガイドシュー取付ボルト孔１１１と重なる回動ガイドシュー取付ボルト孔４１１が形成されており、回動ガイドシュー支持部４１は、釣合重り枠１０７から既設ガイドシューが取り外され、ガイドシュー取付ボルト１１０が回動ガイドシュー取付ボルト孔４１１および既設ガイドシュー取付ボルト孔１１１に挿入されることによって、釣合重り枠１０７に取り付けられるので、既設ガイドシュー取付ボルト孔１１１およびガイドシュー取付ボルト１１０を流用して、回動ガイドシュー支持部４１を釣合重り枠１０７に取り付けることができる。
【００３１】
なお、上記実施の形態１では、ガイド装置４を釣合重り１０３の第１端部１０９から取り外して、釣合重り搬出工程を行う手順について説明したが、回動ガイドシュー４４を回動軸４３から取り外して、釣合重り搬出工程を行ってもよい。
【００３２】
また、上記実施の形態１では、搬出入用支持部材として、足場１２を例に説明したが、足場１２に限らず、第１台車３１および第２台車３２が載せられる引出レールであってもよい。この引出レールは、釣合重り用ガイドレール１０５と乗場１０４との間に配置される。
【００３３】
実施の形態２．
図１２はこの発明の実施の形態２に係るエレベータ釣合重り搬出入装置を示す側面図である。図において、エレベータ釣合重り搬出入装置は、釣合重り１０３の第１端部１０９に設けられた第１端部用ローラ装置５と、釣合重り１０３の第２端部１１２に設けられた第２端部用ローラ装置６と、釣合重り用ガイドレール１０５と乗場１０４との間に設けられた一対の引出レール（搬出入用支持部材）７とをさらに備えている。この発明の実施の形態２に係るエレベータ釣合重り搬出入装置は、実施の形態１に記載の足場装置１および台車ユニット３を備えていない。
【００３４】
引出レール７は、奥行方向に延びて配置されている。また、引出レール７は、釣合重り用ガイドレール１０５と乗場１０４とに渡って配置されている。
【００３５】
図１３は図１２の第１端部用ローラ装置５を示す平面図、図１４は図１２の第１端部用ローラ装置５を示す正面図、図１５は図１２の第１端部用ローラ装置５を示す拡大図である。第１端部用ローラ装置５は、釣合重り１０３の第１端部１０９が引出レール７に沿って移動する場合に引出レール７を転動する一対のローラ５１と、それぞれのローラ５１を回転可能に支持し、第１端部１０９に取り付けられる一対の第１ローラ支持部５２とを有している。一対のローラ５１の間の寸法は、一対の引出レール７の間の寸法に対応している。
【００３６】
回動ガイドシュー支持部４１は、第１ローラ支持部５２に取り付けられている。ガイド装置４は、回動ガイドシュー支持部４１を第１ローラ支持部５２に取り付けるためのボルト４５を有している。なお、回動ガイドシュー支持部４１は、第１ローラ支持部５２に一体に形成されてもよい。この場合、ガイド装置４は、ボルト４５を有さない。
【００３７】
第１ローラ支持部５２には、既設ガイドシュー取付ボルト孔１１１に重なる第１ローラ支持部取付ボルト孔５２１が形成されている。第１ローラ支持部５２は、ガイドシュー取付ボルト１１０が第１ローラ支持部取付ボルト孔５２１および既設ガイドシュー取付ボルト孔１１１に挿入されることによって、釣合重り枠１０７の第１端部１０９に取り付けられる。第１ローラ支持部５２は、回動ガイドシュー支持部４１とともに釣合重り１０３の釣合重り枠１０７に着脱される。
【００３８】
図１６は図１２の第２端部用ローラ装置６を示す拡大図、図１７は図１２の第２端部用ローラ装置６を示す底面図、図１８は図１２の第２端部用ローラ装置６を示す背面図である。図において、第２端部用ローラ装置６は、チェーンブロック２２の駆動によって釣合重り１０３が昇降する場合であって第２端部１１２が引出レール７に沿って移動する場合に引出レール７を転動する一対の変位用ローラ６１と、第２端部１１２が第１端部１０９とともに引出レール７に沿って移動する場合に引出レール７を転動する一対の移動用ローラ６２と、変位用ローラ６１および移動用ローラ６２を回転可能に支持し、第２端部１１２に取り付けられる第２ローラ支持部６３とを有している。一対の変位用ローラ６１の間の寸法および一対の移動用ローラ６２の間の寸法は、一対の引出レール７の間の寸法に対応している。
【００３９】
第２ローラ支持部６３には、既設ガイドシュー取付ボルト孔１１１に重なる第２ローラ支持部取付ボルト孔６３１が形成されている。第２ローラ支持部６３は、ガイドシュー取付ボルト１１０が第２ローラ支持部取付ボルト孔６３１および既設ガイドシュー取付ボルト孔１１１に挿入されることによって、釣合重り枠１０７の第２端部１１２に取り付けられる。その他の構成は、実施の形態１と同様である。
【００４０】
次に、エレベータ釣合重り搬出入装置を用いたエレベータ釣合重り搬出入方法について説明する。まず、釣合重り１０３が最下階の乗場１０４よりも所定距離だけ高い位置に配置されるように、かごを昇降路１００の上部に配置させ、固定装置を用いてかごをかご用ガイドレール装置に対して固定する。その後、昇降路１００に引出レール７を設置する（搬出入用支持部材設置工程）。釣合重り支持工程については、実施の形態１と同様である。
【００４１】
その後、かごと釣合重り１０３とに接続されたロープをかご及び釣合重り１０３から取り外し、釣合重り１０３における第１端部１０９および第２端部１１２に取り付けられている既設ガイドシューを取り外し、釣合重り１０３の第１端部１０９にガイド装置４および第１端部用ローラ装置５を取り付け、釣合重り１０３の第２端部１１２に第２端部用ローラ装置６を取り付ける（ガイド装置ローラ装置取付工程）。
【００４２】
図１９は図１２の釣合重り１０３の長手方向を高さ方向に対して傾斜させた状態のエレベータ釣合重り搬出入装置を示す正面図、図２０は図１９の釣合重り１０３の長手方向を高さ方向に対してさらに傾斜させた状態のエレベータ釣合重り搬出入装置を示す正面図、図２１は図１２の釣合重り１０３の位置が傾倒位置である状態のエレベータ釣合重り搬出入装置を示す正面図である。その後、チェーンブロック２２を駆動させて、釣合重り１０３の第２端部１１２に取り付けられた第２端部用ローラ装置６の変位用ローラ６１が引出レール７に載せられるように釣合重り１０３を降下させる。
【００４３】
その後、第２端部用ローラ装置６を乗場１０４に向かって移動させながら、チェーンブロック２２を駆動させて、釣合重り１０３を降下させる。これにより、これにより、釣合重り１０３の位置は、起立位置から傾倒位置に変位する。釣合重り１０３の位置が起立位置から傾倒位置に変位する場合に、回動ガイドシュー４４は、回動軸４３を中心に回動しながら、釣合重り用ガイドレール１０５に案内される。
【００４４】
図２２は図２１の回動ガイドシュー４４を回動軸４３から取り外した状態を示すエレベータ釣合重り搬出入装置を示す正面図である。釣合重り１０３の位置が傾倒位置になると、第２端部用ローラ装置６の移動用ローラ６２と、第１端部用ローラ装置５のローラ５１とが、引出レール７に載せられる。その後、回動ガイドシュー４４を回動軸４３から取り外し、第２端部用ローラ装置６および第１端部用ローラ装置５を引出レール７から乗場１０４に移動させることによって、釣合重り１０３を昇降路１００から乗場１０４に搬出する（釣合重り搬出工程）。以上により、昇降路１００から乗場１０４への既設の釣合重り１０３の搬出が終了する。乗場１０４から昇降路１００への新規の釣合重り１０３の搬入は、既設の釣合重り１０３の搬出の逆の手順となる。
【００４５】
以上説明したように、この発明の実施の形態２に係るエレベータ釣合重り搬出入装置によれば、第１端部１０９が引出レール７に沿って移動する場合に引出レール７を転動するローラ５１と、ローラ５１を回転可能に支持し、第１端部１０９に取り付けられる第１ローラ支持部５２とを有する第１端部用ローラ装置５を備えているので、実施の形態１に係るエレベータ釣合重り搬出入装置と比較して、釣合重り１０３の第１端部１０９が載せられる第２台車３２を引出レール７に設置することなく、釣合重り１０３の第１端部１０９を引出レール７に沿って移動させることができる。これにより、エレベータ釣合重り搬出入装置の構成を簡略化することができる。
【００４６】
第１ローラ支持部５２は、回動ガイドシュー支持部４１とともに釣合重り１０３に着脱されるので、釣合重り１０３への第１端部用ローラ装置５の着脱を容易に行うことができる。
【００４７】
また、このエレベータ釣合重り搬出入装置は、チェーンブロック２２の駆動によって釣合重り１０３が昇降する場合であって第２端部１１２が引出レール７に沿って移動する場合に引出レール７を転動する変位用ローラ６１と、第２端部１１２が第１端部１０９とともに引出レール７に沿って移動する場合に引出レール７を転動する移動用ローラ６２と、変位用ローラ６１および移動用ローラ６２を回転可能に支持し、第２端部１１２に取り付けられる第２ローラ支持部６３とを有する第２端部用ローラ装置６を備えているので、実施の形態１に係るエレベータ釣合重り搬出入装置と比較して、釣合重り１０３が載せられる第１台車３１を引出レール７に設置することなく、釣合重り１０３の第２端部１１２を引出レール７に沿って移動させることができる。これにより、エレベータ釣合重り搬出入装置の構成を簡略化することができる。
【００４８】
なお、上記実施の形態２では、回動ガイドシュー４４を回動軸４３から取り外して、釣合重り搬出工程を行う手順について説明したが、ガイド装置４を釣合重り１０３の第１端部１０９から取り外して、釣合重り搬出工程を行ってもよい。
【００４９】
また、上記実施の形態２では、搬出入用支持部材として、引出レール７を例に説明したが、足場装置１に限らず、第１端部用ローラ装置５および第２端部用ローラ装置６が載せられる足場であってもよい。
【００５０】
また、各上記実施の形態では、揚重装置として、チェーンブロック２２を例に説明したが、チェーンブロック２２に限らず、例えば、ホイストであってもよい。
【符号の説明】
【００５１】
１  足場装置、２  吊下装置、３  台車ユニット、４  ガイド装置、５  第１端部用ローラ装置、６  第２端部用ローラ装置、７  引出レール（搬出入用支持部材）、１１  サポート、１２  足場（搬出入用支持部材）、１３  補強部材、２１  ワイヤ、２２  チェーンブロック（揚重装置）、２３  ワイヤ、３１  第１台車、３２  第２台車、４１  回動ガイドシュー支持部、４２  軸受、４３  回動軸、４４  回動ガイドシュー、４５  ボルト、５１  ローラ、５２  第１ローラ支持部、６１  変位用ローラ、６２  移動用ローラ、６３  第２ローラ支持部、１００  昇降路、１０１  ピット、１０２  釣合重り用ガイドレール装置、１０３  釣合重り、１０４  乗場、１０５  釣合重り用ガイドレール、１０６  レールブラケット、１０７  釣合重り枠、１０８  重り板、１０９  第１端部、１１０  ガイドシュー取付ボルト、１１１  既設ガイドシュー取付ボルト孔、１１２  第２端部、２２１  フック部、２２２  フック部、４１１  回動ガイドシュー取付ボルト孔、５２１  ローラ支持部取付ボルト孔、６３１  ローラ支持部取付ボルト孔。
【図１】
2016132516.tif 000003
【図２】
2016132516.tif 000004
【図３】
2016132516.tif 000005
【図４】
2016132516.tif 000006
【図５】
2016132516.tif 000007
【図６】
2016132516.tif 000008
【図７】
2016132516.tif 000009
【図８】
2016132516.tif 000010
【図９】
2016132516.tif 000011
【図１０】
2016132516.tif 000012
【図１１】
2016132516.tif 000013
【図１２】
2016132516.tif 000014
【図１３】
2016132516.tif 000015
【図１４】
2016132516.tif 000016
【図１５】
2016132516.tif 000017
【図１６】
2016132516.tif 000018
【図１７】
2016132516.tif 000019
【図１８】
2016132516.tif 000020
【図１９】
2016132516.tif 000021
【図２０】
2016132516.tif 000022
【図２１】
2016132516.tif 000023
【図２２】
2016132516.tif 000024